(57)【特許請求の範囲】
【請求項１】
ベルトの幅に対応する幅をもつ底板、および前記底板の両側に突設された一対の側板からなるコ字状断面のベース部材と、前記ベース部材の前記底板よりも幅広でかつ長い上板、および前記上板の両側に突設された一対の側板からなるコ字状断面のカバー部材とを備え、前記ベース部材と前記カバー部材が、ロ字状断面の筒状になるように入れ子状に重ね合わされ、前記カバー部材の中間部と前記ベース部材の一端部が、前記カバー部材の幅方向に前記カバー部材の前記側板および前記ベース部材の前記側板を貫通する旋回ピンによって互いに連結され、前記カバー部材が、前記旋回ピンの周りに前記ベース部材に対して回動して、前記カバー部材と前記ベース部材がほぼ直線状に重なり合う閉じた位置と、前記カバー部材と前記ベース部材がほぼＴ字状に離間する開いた位置とをとり得るようになっており、前記ベース部材の他端部には、前記ベース部材の前記一対の側壁間に挿入されたベルトの一端部を前記ベース部材に固定するためのベルト固定手段が設けられ、前記カバー部材における前記旋回ピンに関して前記ベース部材と反対側の端部には、前記ベルトの他端部を前記カバー部材の前記一対の側板間に案内するベルト挿入口が設けられ、前記ベース部材には、前記カバー部材が前記閉じた位置にあるとき、前記カバー部材の前記上板と協働して前記カバー部材の前記一対の側板間に挿通された前記ベルトを係止する一方、前記カバー部材が前記開いた位置にあるときは、前記ベルトの係止を解除するベルト係止手段が設けられたベルト用バックルにおいて、
前記ベルト係止手段は、
前記ベース部材の前記底板の一端縁において、前記底板の前記側板と同じ向きに突設された制止壁と、
前記旋回ピンに対し前記旋回ピンの周りに回動可能に取り付けられ、前記ベース部材の前記一対の側板間にのびる細長い係止部材と、を備え、
前記係止部材は、平坦な底面と、前記底面の長さ方向両側に接続する２つの側面と、前記底面の幅方向両側に接続する２つの端面と、前記２つの側面および前記２つの端面に接続する上面と、前記２つの端面を貫通して前記係止部材の長さ方向にのびる貫通孔と、を有し、前記２つの側面のうちの一方の側面と前記底面との接続部が外向き凸状に湾曲し、前記一方の側面が前記制止壁に向き合う配置で前記貫通孔に前記旋回ピンが挿通され、
前記係止部材の前記上面には第１および第２の爪がそれぞれ少なくとも１つ設けられ、前記第１の爪は前記係止部材の回動方向における前記第２の爪よりも前記制止壁側に配置されており、
前記カバー部材が前記閉じた位置をとるとき、前記係止部材が前記底面を前記ベース部材の前記底板に接触させて静止した状態で、前記第１の爪が前記ベルトに食い込むことによって、前記ベルトが前記第１の爪と前記カバー部材の前記上板との間に係止され、
前記カバー部材が前記閉じた位置にあって、かつ前記ベルトが前記ベルト挿入口から抜かれる向きに引っ張られたとき、前記係止部材は、前記接続部を前記底板に接触させつつ、前記一方の側面が前記制止壁に当接するまで前記制止壁に向けて回動し、前記第１の爪が前記ベルトから離れる一方、前記第２の爪が前記第１の爪よりも深く前記ベルトに食い込むことによって、前記ベルトが前記第２の爪と前記上板との間に係止された状態でロックされるものであることを特徴とするベルト用バックル。
【請求項２】
前記係止部材の前記第１および第２の爪は、それぞれ、前記係止部材の横断面において、前記貫通孔内の所定の点を中心とする一定半径の円弧上に配置され、前記貫通孔の断面は、前記底面側から上方に前記第２の爪側に向けてのびる長穴状に形成されており、
前記カバー部材が前記閉じた位置をとるとき、前記係止部材の前記底面が前記ベース部材の前記底板に接するとともに、前記第１の爪が前記ベルトに食い込むことによって、前記ベルトが前記第１の爪と前記カバー部材の前記上板との間に係止され、
前記カバー部材が前記閉じた位置にあって、かつ前記ベルトが前記ベルト挿入口から抜かれる向きに引っ張られたとき、前記係止部材は、前記接続部を前記底板に接触させつつ、前記一方の側面が前記制止壁に当接するまで、前記制止壁に向けて回動すると同時に前記長穴に沿って上向きに移動し、前記第１の爪が前記ベルトから離れる一方、前記第２の爪が前記第１の爪よりも深く前記ベルトに食い込むことによって、前記ベルトが前記第２の爪と前記カバー部材の前記上板と間に係止された状態でロックされることを特徴とする請求項１に記載のベルト用バックル。
【請求項３】
前記係止部材の前記貫通孔の断面は、前記旋回ピンよりも少し大きい径の円形に形成され、前記第１の爪は、前記係止部材の横断面において、前記貫通孔内の所定の点を中心とする第１の半径の円弧上に配置され、前記第２の爪は、前記係止部材の横断面において、前記貫通孔内の前記所定の点を中心とする前記第１の半径よりも大きい第２の半径の円弧上に配置されていることを特徴とする請求項１に記載のベルト用バックル。
【請求項４】
前記ベルトが前記第２の爪と前記カバー部材の前記上板との間に係止された状態でロックされるとき、前記係止部材の前記一方の側面が前記制止壁に当接するとともに、前記長穴の下端縁が前記旋回ピンに当接することを特徴とする請求項１〜請求項３のいずれかに記載のベルト用バックル。
【請求項５】
前記係止部材の前記第１の側面に突起部が設けられ、前記ベルトが前記第２の爪と前記カバー部材の前記上板との間に係止された状態でロックされるとき、前記第１の側面は、前記突起部において前記制止壁に当接することを特徴とする請求項１〜請求項４のいずれかに記載のベルト用バックル。
【発明の詳細な説明】
【技術分野】
【０００１】
本発明は、ベルトを身体に締付けて装着するためのバックルに関する。
【背景技術】
【０００２】
種々のベルト用バックルが従来技術において知られている。
従来のベルト用バックルとして、例えば、板状の基板の両側部に一対の支承片を立設し、各支承片に第１軸支承孔を形成したバックル本体と、板状の基板の両側に一対の支承片を立設し、各支承片に第２軸支承孔を形成した止着体と、連結板の両端にそれぞれ表裏逆方向に突出する第１係止片および第２係止片を突設し、両係止片の両側端に第１支承突軸および第２支承突軸を設けた掛止体とからなり、掛止体の第１支承突軸をバックル本体の第１軸支承孔に、第２支承突軸を止着体の第２軸支承孔に回動可能に枢着し、バックル本体の第１軸支承孔より基板の両端縁を大きく前方へ延出させるとともに、止着体の第２軸支承孔より基板の後端縁を大きく後方へ延出させ、それぞれの端縁をベルトに当接させたバックルがある（例えば、特許文献１参照）。
【０００３】
しかしながら、この構成によれば、ベルトの一端側を、バックル本体によって、掛止体に対しほぼ垂直に起立した状態で固定された第１の係止爪に押しつけることで、第１の係止爪およびバックル本体間に係止し、ベルトの他端側を、止着体によって、掛止体に対しほぼ垂直に起立した状態で固定された第２の係止爪に押しつけることによって、第２の係止爪および止着体間に係止するようにしているので、ベルトが比較的硬質で厚い場合には、第１および第２の係止爪がベルトに食い込み難く、その結果、ベルトが装着されている間にベルトが不意にはずれてしまうおそれがあった。
【０００４】
さらに、この構成によれば、バックル本体の第１軸支承孔より基板の両端縁が大きく前方へ延出すると共に、止着体の第２軸支承孔より基板の後端縁が大きく後方に延出する必要があり、バックルが一定の長さを有していなければならず、そのため、バックルをコンパクト化することができなかった。
【０００５】
また、従来のベルト用バックルとして、例えば、前面部と、前面部裏側に所定間隔を隔てて配設されたベルト本体係止部を有し、かつ、ベルト本体係止部と前面部との間に通されたベルト本体を所定位置に固定する係止突起が設けられた係止部材とを有し、係止部材は、係止突起がベルト本体を係止するようにバネ付勢されるとともに、係止突起によるベルト本体の係止を解除するための操作用摘みの先端が、前面部の裏側の範囲よりも外側に突出するように設けられたバックル本体と、前面部の裏面に立設された立設縁の一部に対向して設けられたベルト本体係止部の支持部に延設して形成されたベルト本体取り付け部材支持部に、バックル本体が前面部に向かって回動するように設けられているベルト本体取り付け部材とから構成されたバックルがある（例えば、特許文献２参照）。
【０００６】
この構成によれば、係止部材がバネ付勢されることによって、係止突起をベルト本体に食い込ませてこれを係止するので、ベルト本体が比較的硬質で厚い場合でも、ベルトが装着されている間にベルト本体が不意にはずれてしまうおそれはないが、ベルト本体の着脱時に、使用者が手指で操作用摘みをバネ付勢力に抗して操作しなければならないという煩わしさがあった。
さらには、このバックルは、構造が複雑であり、製造コストがかかるという問題を有していた。
【先行技術文献】
【特許文献】
【０００７】
【特許文献１】実公平６−６７２８号公報
【特許文献２】特許第４０９９１５２号公報
【発明の概要】
【発明が解決しようとする課題】
【０００８】
したがって、本発明の課題は、コンパクトで簡単な構造を有し、ベルトの着脱が容易であり、ベルトが装着されている間にベルトが不意にはずれてしまわないベルト用バックルを提供することにある。
【課題を解決するための手段】
【０００９】
上記課題を解決するため、本発明は、ベルトの幅に対応する幅をもつ底板、および前記底板の両側に突設された一対の側板からなるコ字状断面のベース部材と、前記ベース部材の前記底板よりも幅広でかつ長い上板、および前記上板の両側に突設された一対の側板からなるコ字状断面のカバー部材とを備え、前記ベース部材と前記カバー部材が、ロ字状断面の筒状になるように入れ子状に重ね合わされ、前記カバー部材の中間部と前記ベース部材の一端部が、前記カバー部材の幅方向に前記カバー部材の前記側板および前記ベース部材の前記側板を貫通する旋回ピンによって互いに連結され、前記カバー部材が、前記旋回ピンの周りに前記ベース部材に対して回動して、前記カバー部材と前記ベース部材がほぼ直線状に重なり合う閉じた位置と、前記カバー部材と前記ベース部材がほぼＴ字状に離間する開いた位置とをとり得るようになっており、前記ベース部材の他端部には、前記ベース部材の前記一対の側壁間に挿入されたベルトの一端部を前記ベース部材に固定するためのベルト固定手段が設けられ、前記カバー部材における前記旋回ピンに関して前記ベース部材と反対側の端部には、前記ベルトの他端部を前記カバー部材の前記一対の側板間に案内するベルト挿入口が設けられ、前記ベース部材には、前記カバー部材が前記閉じた位置にあるとき、前記カバー部材の前記上板と協働して前記カバー部材の前記一対の側板間に挿通された前記ベルトを係止する一方、前記カバー部材が前記開いた位置にあるときは、前記ベルトの係止を解除するベルト係止手段が設けられたベルト用バックルにおいて、前記ベルト係止手段は、前記ベース部材の前記底板の一端縁において、前記底板の前記側板と同じ向きに突設された制止壁と、前記旋回ピンに対し前記旋回ピンの周りに回動可能に取り付けられ、前記ベース部材の前記一対の側板間にのびる細長い係止部材と、を備え、前記係止部材は、平坦な底面と、前記底面の長さ方向両側に接続する２つの側面と、前記底面の幅方向両側に接続する２つの端面と、前記２つの側面および前記２つの端面に接続する上面と、前記２つの端面を貫通して前記係止部材の長さ方向にのびる貫通孔と、を有し、前記２つの側面のうちの一方の側面と前記底面との接続部が外向き凸状に湾曲し、前記一方の側面が前記制止壁に向き合う配置で前記貫通孔に前記旋回ピンが挿通され、前記係止部材の前記上面には第１および第２の爪がそれぞれ少なくとも１つ設けられ、前記第１の爪は前記係止部材の回動方向における前記第２の爪よりも前記制止壁側に配置されており、前記カバー部材が前記閉じた位置をとるとき、前記係止部材が前記底面を前記ベース部材の前記底板に接触させて静止した状態で、前記第１の爪が前記ベルトに食い込むことによって、前記ベルトが前記第１の爪と前記カバー部材の前記上板との間に係止され、前記カバー部材が前記閉じた位置にあって、かつ前記ベルトが前記ベルト挿入口から抜かれる向きに引っ張られたとき、前記係止部材は、前記接続部を前記底板に接触させつつ、前記一方の側面が前記制止壁に当接するまで前記制止壁に向けて回動し、前記第１の爪が前記ベルトから離れる一方、前記第２の爪が前記第１の爪よりも深く前記ベルトに食い込むことによって、前記ベルトが前記第２の爪と前記上板との間に係止された状態でロックされるものであることを特徴とするベルト用バックルを構成したものである。
【００１０】
上記構成において、前記係止部材の前記第１および第２の爪は、それぞれ、前記係止部材の横断面において、前記貫通孔内の所定の点を中心とする一定半径の円弧上に配置され、前記貫通孔の断面は、前記底面側から上方に前記第２の爪側に向けてのびる長穴状に形成されており、前記カバー部材が前記閉じた位置をとるとき、前記係止部材の前記底面が前記ベース部材の前記底板に接するとともに、前記第１の爪が前記ベルトに食い込むことによって、前記ベルトが前記第１の爪と前記カバー部材の前記上板との間に係止され、前記カバー部材が前記閉じた位置にあって、かつ前記ベルトが前記ベルト挿入口から抜かれる向きに引っ張られたとき、前記係止部材は、前記接続部を前記底板に接触させつつ、前記一方の側面が前記制止壁に当接しかつ前記長穴の下端縁が前記旋回ピンに当接するまで、前記制止壁に向けて回動するとともに前記長穴に沿って上向きに移動し、前記第１の爪が前記ベルトから離れる一方、前記第２の爪が前記第１の爪よりも深く前記ベルトに食い込むことによって、前記ベルトが前記第２の爪と前記カバー部材の前記上板と間に係止された状態でロックされることが好ましい。
【００１１】
あるいは、前記係止部材の前記貫通孔の断面は、前記旋回ピンよりも少し大きい径の円形に形成され、前記第１の爪は、前記係止部材の横断面において、前記貫通孔内の所定の点を中心とする第１の半径の円弧上に配置され、前記第２の爪は、前記係止部材の横断面において、前記貫通孔内の前記所定の点を中心とする前記第１の半径よりも大きい第２の半径の円弧上に配置されていることが好ましい。
【００１２】
また好ましくは、前記ベルトが前記第２の爪と前記カバー部材の前記上板との間に係止された状態でロックされるとき、前記係止部材の前記一方の側面が前記制止壁に当接するとともに、前記長穴の下端縁が前記旋回ピンに当接する。
また、前記係止部材の前記第１の側面に突起部が設けられ、前記ベルトが前記第２の爪と前記カバー部材の前記上板との間に係止された状態でロックされるとき、前記第１の側面は、前記突起部において前記制止壁に当接するようにしてもよい。
【発明の効果】
【００１３】
本発明によれば、ベース部材とカバー部材を互いに旋回ピンで連結し、ベース部材には、旋回ピンに回動可能に取り付けられ、第１及び第２の爪を有し、カバー部材の閉じた位置でカバー部材と協働するベルト係止手段を備え、カバー部材の閉じた位置において、係止部材を底面がベース部材に接触して静止させた状態で、第１の爪をベルトに食い込ませて、ベルトを第１の爪とカバー部材の間に係止し、カバー部材の閉じた位置においてさらにベルトが引抜き方向に引っ張られたとき、係止部材を、接続部がベース部材に接触しつつ制止壁に当接するまで回動させて、第２の爪を第１の爪よりも深くベルトに食い込ませ、ベルトを第２の爪とカバー部材の間に係止状態でロックするようにしたので、ベルトが装着されている間に不意にベルトがはずれてしまうことがない。
【００１４】
また、カバー部材を開いた位置から閉じた位置まで回動させた後、ベルトを引き抜く方向に引っ張るだけでベルトを係止状態にロックすることができ、また、カバー部材を開いた位置まで回動させるだけで簡単にロックを解除し、ベルトをはずすことができ、ベルトの着脱が非常に簡単に行える。
さらに、本発明によれば、バネ等の付勢手段を用いずに、ベルトを係止状態にロックすることができ、それによって、バックルの構造が簡単になり、バックルをコンパクト化することができる。
【図面の簡単な説明】
【００１５】
【図１】本発明の１実施例によるベルト用バックルを示した図であり、（Ａ）はバックルの分解斜視図であり、（Ｂ）はバックルの１構成要素である係止部材の斜視図である。
【図２】図１のベルト用バックルのカバー部材が閉じた位置にあるときの斜視図であり、（Ａ）は斜め上方から見た図であり、（Ｂ）は斜め下方から見た図である。
【図３】図１のベルト用バックルの側断面図であり、（Ａ）はカバー部材が開いた位置にある状態を示し、（Ｂ）はカバー部材が閉じた位置にある状態を示している。
【図４】図１のベルト用バックルの要部を拡大した側断面図である。
【図５】図１のベルト用バックルのカバー部材が開いた位置にあるときの、要部を拡大した側断面図であり、図中、ベルト固定手段は省略してある。
【図６】図１のベルト用バックルのカバー部材が閉じた位置にあるときの、図５に類似の図である。
【図７】図１のベルト用バックルのカバー部材が閉じた位置にあり、かつベルトが係止状態にロックされたときの、図５に類似の図である。
【発明を実施するための形態】
【００１６】
以下、添付図面を参照して本発明の好ましい実施例を説明する。図１は、本発明の１実施例によるベルト用バックルを示した図であり、（Ａ）はバックルの分解斜視図であり、（Ｂ）はバックルの１構成要素である係止部材の斜視図である。図２は、図１のベルト用バックルのカバー部材が閉じた位置にあるときの斜視図であり、（Ａ）は斜め上方から見た図であり、（Ｂ）は斜め下方から見た図である。図３は、図１のベルト用バックルの側断面図であり、（Ａ）はカバー部材が開いた位置にある状態を示し、（Ｂ）はカバー部材が閉じた位置にある状態を示している。図４は、図１のベルト用バックルの要部を拡大した側断面図である。
【００１７】
図１〜図４を参照して、本発明によるベルト用バックルは、ベルト２０の幅に対応する幅をもつ底板１、および底板１の両側に突設された一対の側板２からなるコ字状断面のベース部材４と、ベース部材４の底板１よりも幅広でかつ長い上板５、および上板５の両側に突設された一対の側板６からなるコ字状断面のカバー部材７とを備えている。
【００１８】
また、ベース部材４の一端側において、ベース部材４の一対の側板２にはそれぞれ取付穴２ａが設けられる一方、カバー部材７の中間部において、カバー部材７の一対の側板６にはそれぞれベース部材４の取付穴２ａと対をなす取付穴６ａが設けられる。
【００１９】
そして、ベース部材４とカバー部材７が、ベース部材４の取付穴２ａおよびカバー部材７の取付穴６ａが互いに整合した状態で、ロ字状断面の筒状になるように入れ子状に重ね合わされ、第１の取付穴２ａおよび取付穴６ａを貫通する旋回ピン１２によって互いに連結される。
それによって、カバー部材７は、旋回ピン１２の周りにベース部材４に対して回動し、カバー部材７とベース部材４がほぼ直線状に重なり合う閉じた位置（図３（Ｂ）参照）と、カバー部材７とベース部材４がほぼＴ字状に離間する開いた位置（図３（Ａ）参照）の２つの位置をとり得るようになっている。
【００２０】
また、ベース部材４には、カバー部材７が閉じた位置にあるときは、カバー部材７の上板５と協働してカバー部材７の一対の側板６間に挿通されたベルト２０を係止する一方、カバー部材７が開いた位置にあるときは、ベルト２０の係止を解除するベルト係止手段が設けられる。
【００２１】
ベルト係止手段は、ベース部材４の底板１の一端縁において、底板１の側板２と同じ向きに突設された制止壁３と、旋回ピン１２に対し旋回ピン１２の周りに回動可能に取り付けられ、ベース部材４の一対の側板２間にのびる細長い係止部材８とを備えている。
【００２２】
図１に示すように、係止部材８は、平坦な底面８ａと、底面８ａの長さ方向両側に接続する２つの側面８ｂ、８ｃと、底面８ａの幅方向両側に接続する２つの端面８ｄ、８ｅと、２つの側面８ｂ、８ｃおよび２つの端面８ｄ、８ｅに接続する上面８ｆと、２つの端面８ｄ、８ｅを貫通して係止部材８の長さ方向にのびる貫通孔９とを有している。
また、２つの側面８ｂ、８ｃのうちの一方の側面８ｂと底面８ａとの接続部８ｇが外向き凸状に湾曲している。そして、一方の側面８ｂが制止壁３に向き合う配置で貫通孔９に旋回ピン１２が挿通されている。
【００２３】
係止部材８の上面８ｆには第１および第２の爪１０ａ、１０ｂがそれぞれ少なくとも１つ（この実施例では、それぞれ２つ）設けられる。第１および第２の爪１０ａ、１０ｂは、それぞれ、係止部材８の横断面において、貫通孔９内の所定の点を中心とする一定半径の円弧上に配置され、さらに、第１の爪１０ａは係止部材８の回動方向における第２の爪１０ｂよりも制止壁３側に配置される。
【００２４】
図４に示すように、貫通孔９の断面は、係止部材８の底面８ａ側から上方に第２の爪１０ｂ（この実施例では、最外側の第２の爪１０ｂ）側に向けてのびる長穴状に形成されている。それによって、係止部材８は、旋回ピン１２のまわりに回動するとともに、長穴状断面の貫通孔９に沿って上下方向に移動し得る。
また、係止部材８の一方の側面８ｂには、係止部材８の回動を規制するための突起部１１が設けられる。
【００２５】
ベース部材４の他端部には、ベース部材４の一対の側板２の間に挿入されたベルト２０の一端部２０ａをベース部材４に固定するためのベルト固定手段１８が設けられる。
この実施例では、ベルト固定手段１８は、ベース部材４の底板１の幅よりも少し小さい幅を有する板状の本体部分１３と、本体部分１３の長さ方向両端縁に接続し、下向きにのびる第１および第２の壁部分１４、１６と、第１の壁部分１４の下端縁に設けられた係合歯１５と、第１の壁部分の両側縁にそれぞれ設けられたピボット１７とを備えている。
【００２６】
また、ベース部材４の他端部における、ベース部材４の一対の側板２には、それぞれピボット１７の差込穴２ｂが設けられる。そして、ベルト固定手段１８は、第１および第２の壁部分１４、１６がそれぞれベース部材４の他端側および一端側に位置する配置で、ピボット１７が差込穴２ｂに差し込まれることにより、ピボット１７の軸のまわりに、本体部分１３がベース部材４の底板１に対し起立するとともに、第１の壁１４と底板１との間にベルト２０の一端部２０ａを挿入するための開口２２を形成する開いた位置（図４の実線で示した）と、開いた位置からベース部材４の一端側に向けて回動し、本体部分１３が底板１にほぼ平行になり、開口２２に挿入されたベルト２０の一端部２０ａを係合歯１５と底板１の間に係止する閉じた位置（図４の破線で示した）との間で回動し得る。
【００２７】
カバー部材７における旋回ピン１２に関してベース部材４と反対側の端部には、ベルト２０の他端部２０ｂをカバー部材７の一対の側板６間に案内するベルト挿入口２１が設けられる。
この実施例では、ベルト挿入口２１は、カバー部材７の一対の側板６の先端縁同士が、一定長さにわたって接続板１９によって接続されることで形成される。この場合、カバー部材７の一対の側板６のそれぞれの先端縁には、一定長さにわたって内向き屈曲部６ｂが設けられ、接続板１９は両側面に長さ方向にのびる溝１９ａを有している。そして、接続板１９は、溝１９ａを介して屈曲部６ｂに嵌め込まれ、一対の側板６に固定される。
【００２８】
次に、本発明のベルト用バックルの使用態様について説明する。
図５は、図１のベルト用バックルのカバー部材が開いた位置にあるときの、要部を拡大した側断面図である。なお明瞭のために、図５中、ベルト固定手段は省略してある。図６は、図１のベルト用バックルのカバー部材が閉じた位置にあるときの、図５に類似の図である。図７は、図１のベルト用バックルのカバー部材が閉じた位置にあり、かつベルトが係止状態にロックされたときの、図５に類似の図である。
【００２９】
まず、図４から明らかなように、カバー部材７が開いた位置まで回動せしめられ、次いで、ベース部材４のベルト固定手段１８が開いた位置まで回動せしめられる。そして、ベルト２０の一端部２０ａが、ベース部材４の他端に形成された開口２２からベース部材４内に挿入された後、ベルト固定手段１８が閉じた位置まで回動せしめられることによって、ベルト２０の一端部２０ａがベース部材４に固定される。
【００３０】
次に、カバー部材７が開いた位置にある状態で、ベルト２０が使用者の腰等に巻かれ、ベルト２０の他端側が、図５に示すように、カバー部材７のベルト挿入口２１からカバー部材７内に挿入され、一対の側板６に案内されて、カバー部材７を長さ方向に挿通される。このとき、カバー部材７の上板５と係止部材８間には十分な間隙が形成されており、よって、ベルト２０の挿通が妨げられることはない。
【００３１】
そして、ベルト２０の巻き付け長さが調節され、ベルト２０が使用者の腰等に装着された状態で、図６に示すように、カバー部材７が開いた位置から閉じた位置まで回動せしめられる。カバー部材７が閉じた位置をとるとき、係止部材８が、長穴（貫通孔９）の上端縁９ａを旋回ピン１２に当接させ、かつ底面８ａをベース部材４の底板１に接触させて静止した状態で、第１の爪１０ａがベルト２０に食い込み、ベルト２０が第１の爪１０ａとカバー部材７の上板５との間に係止される。この場合、係止部材８が、底面８ａを底板１に接触させて静止状態にありさえすれば、長穴（貫通孔９）の上端縁９ａと旋回ピン１２の間に隙間が生じていてもよい。
【００３２】
図６に示した状態において、さらに、ベルト２０がベルト挿入口２１から引き抜く方向に引っ張られると、図７に示すように、係止部材８は、接続部８ｇをベース部材４の底板１に接触させつつ、突起部１１が制止壁３の上端面３ａに当接し、かつ長穴（貫通孔９）の下端縁９ｂが旋回ピン１２に当接するまで、制止壁３に向けて回動すると同時に長穴（貫通孔９）に沿って上向きに移動し、それによって、第１の爪１０ａがベルト２０から離れる一方、第２の爪１０ｂが第１の爪１０ａよりも深くベルト２０に食い込み、ベルト２０が第２の爪１０ｂとカバー部材７の上板５と間に係止された状態でロックされる。
この場合、突起部１１が制止壁３の上端面３ａに当接するが、長穴（貫通孔９）の下端縁９ｂおよび旋回ピン１２間に隙間が生じた状態で、ベルト２０が係止状態にロックされる構成とすることもできる。
【００３３】
ベルト２０が使用者からはずされるときは、カバー部材７が閉じた位置から開いた位置まで回動せしめられる。このとき、係止部材８は、突起部１１が制止壁３に当接することによって、カバー部材７の回動に追従して回動することがないので、簡単に、係止部材８の第２の爪１０ｂをベルト２０から離すことができる。その後、係止部材８は、カバー部材７の回動の向きとは反対向きに、底面８ａがベース部材４の底板１に接触するまで回動し、図５に示す位置に戻る。それによって、ベルト２０の他端部をカバー部材７から簡単に抜き出すことができる。
【００３４】
こうして、本発明のベルト用バックルによれば、カバー部材７を開いた位置から閉じた位置まで回動させてベルトを係止した後、さらに、ベルトをバックルから引き抜く方向に引っ張ることによって、ベルトを係止状態にロックすることができるので、ベルトを装着している間に不意にベルトがはずれてしまうことが防止される。
また、カバー部材を開いた位置から閉じた位置まで回動させた後、ベルトを引き抜く方向に引っ張るだけでベルトを係止状態にロックすることができ、また、カバー部材を開いた位置まで回動させるだけで簡単にロックを解除し、ベルトをはずすことができ、ベルトの着脱が非常に簡単に行える。
さらに、本発明のベルト用バックルでは、バネ等の付勢手段を用いずに、ベルトを係止状態にロックするので、バックルの構造が簡単になり、バックルをコンパクト化することができる。
【００３５】
以上、本発明の構成を好ましい１実施例に基づいて説明したが、本発明の構成はこの実施例に限定されるものではない。
例えば、上述の実施例では、係止部材８の第１および第２の爪１０ａ、１０ｂを、それぞれ、係止部材８の横断面において、貫通孔９内の所定の点を中心とする一定半径の円弧上に配置し、貫通孔９の断面を、底面８ａ側から上方に第２の爪１０ｂ側に向けてのびる長穴状に形成したが、その代わりに、係止部材８の貫通孔９の断面を旋回ピン１２よりも少し大きい径の円形に形成し、第１の爪１０ａを、係止部材８の横断面において、貫通孔９内の所定の点を中心とする第１の半径の円弧上に配置し、第２の爪１０ｂを、係止部材８の横断面において、貫通孔９内の前記所定の点を中心とする第１の半径よりも大きい第２の半径の円弧上に配置してもよい。
【００３６】
この構成においても、上述の実施例と同様、カバー部材７が閉じた位置をとるとき、係止部材８が底面８ａをベース部材４の底板１に接触させて静止した状態で、第１の爪１０ａがベルト２０に食い込み、ベルト２０が第１の爪１０ａとカバー部材７の上板５との間に係止され、カバー部材７が前記閉じた位置にあって、かつベルト２０がベルト挿入口２１から引き抜かれる向きに引っ張られたとき、係止部材８は、接続部８ｇを底板１に接触させつつ、突起部１１が制止壁３の上端面３ａに当接するまで制止壁３に向けて回動し、第１の爪１０ａがベルト２０から離れる一方、第２の爪１０ｂが第１の爪１０ａよりも深くベルト２０に食い込み、ベルト２０が第２の爪１０ｂと上板５との間に係止された状態でロックされる。
【００３７】
また、上述の実施例では、係止部材８の一方の側面８ｂに、係止部材８の回動を規制する突起部１１を設けた、突起部１１がベース部材４の制止壁３に当接することによって、係止部材８の回動が制止されるようにしたが、突起部１１を設けずに、係止部材８の一方の側面８ｂが制止壁３に当接することによって、係止部材８の回動が制止されるようにしてもよい。
【符号の説明】
【００３８】
１  底板
２  側板
２ａ  取付穴
２ｂ  差込穴
３  制止壁
３ａ  上端面
４  ベース部材
５  上板
６  側板
６ａ  取付穴
６ｂ  内向き屈曲部
７  カバー部材
８  係止部材
８ａ  底面
８ｂ、８ｃ  側面
８ｄ、８ｅ  端面
８ｆ  上面
８ｇ  接続部
９  貫通孔
１０ａ  第１の爪
１０ｂ  第２の爪
１１  突起部
１２  旋回ピン
１３  本体部分
１４  第１の壁部分
１５  係合歯
１６  第２の壁部分
１７  ピボット
１８  ベルト固定手段
１９  接続板
１９ａ  溝
２０  ベルト
２１  ベルト挿入口
２２  開口
【図１】
0005452632.tif 000002
【図２】
0005452632.tif 000003
【図３】
0005452632.tif 000004
【図４】
0005452632.tif 000005
【図５】
0005452632.tif 000006
【図６】
0005452632.tif 000007
【図７】
0005452632.tif 000008